(57)【要約】【課題】深い調光点灯をおこなう場合に、放電灯自体の温度の影響による放電灯のチラツキや立消えなどの発生を抑制することが可能な照明器具を提供する。【解決手段】照明器具１０は、放電灯点灯装置１３の内部に温度検出手段としてのサーミスタＮＴＣ１を設け、サーミスタＮＴＣ１で蛍光灯ランプ１５の出力を制御する。照明器具１０は、使用状態において、蛍光灯ランプ１５の上部にサーミスタＮＴＣ１を位置するように放電灯点灯装置１３が配置されている。【選択図】図１
2010161022.tif 000002
【特許請求の範囲】
【請求項１】
放電灯点灯装置の内部に温度検出手段を設け、前記温度検出手段で放電灯の出力を制御する照明器具であって、
前記照明器具の使用状態において、前記放電灯の上部に前記温度検出手段が位置するように前記放電灯点灯装置を配置したことを特徴とする照明器具。
【請求項２】
前記放電灯点灯装置に電解コンデンサが設けられ、前記電解コンデンサが前記放電灯と重ならない部分に配置されたことを特徴とする請求項１記載の照明器具。
【請求項３】
前記放電灯は、放電路が管状に形成され、前記管状の放電路が長手方向中央部を中心として２重渦巻状に旋回された蛍光ランプであることを特徴とする請求項１または請求項２記載の照明器具。
【請求項４】
前記放電灯点灯装置は、放電灯の外周部に沿うように配置したことを特徴とする請求項３記載の照明器具。
【請求項５】
前記照明器具は、天井に取り付けて使用されることを特徴とする請求項１〜４のいずれか１項記載の照明器具。
【発明の詳細な説明】
【技術分野】
【０００１】
本発明は、放電灯点灯装置の内部に温度検出手段を設け、温度検出手段で放電灯の出力を制御する照明器具に関する。
【背景技術】
【０００２】
従来の照明器具は、点灯中の蛍光灯ランプの出力電圧を任意の調光レベルに応じた略一定値に制御するために放電灯点灯装置を備えている。
この放電灯点灯装置は、直流電流により得た直流電圧がハーフブリッジインバータの高周波スイッチング動作で高周波の矩形波電圧に変換され、ハーフブリッジの中点に出力される。
出力された矩形波電圧がＬＣ共振回路に入力されて共振作用による略正弦波の電圧が生じ、生じた電圧がランプ（以下、「蛍光灯ランプ」という）に印可されて蛍光灯ランプが点灯する。
【０００３】
このとき、ハーフブリッジインバータに発生する回路電流を固定抵抗器で電圧に変換して制御部にフィードバックしている。
フィードバックされた電圧に基づいて、制御部は、調光信号生成部から入力される調光信号に応じた大きさに対応するようにスイッチング信号を制御する。
これにより、点灯中の蛍光灯ランプの出力電圧を任意の調光レベルに応じた略一定値に制御することが可能である。
【０００４】
この放電灯点灯装置は、周囲温度が低い場合の深い調光点灯時における蛍光灯ランプの立消えやチラツキが発生したり、蛍光灯ランプの光束が低下することが知られている。
また、低温時には蛍光灯ランプのガラス管内に封入された水銀蒸気圧が上がらないために発光効果が低下して蛍光灯ランプの光束が大幅に低下することが知られている。
【０００５】
このような課題を解決する照明器具として、低温状態を温感素子（温度検出手段）を用いて検出し、フィードバックされる信号や調光信号を低温時に切り替え、低温時のランプ出力を上昇させて蛍光灯ランプの立消えやチラツキが発生したり、蛍光灯ランプの光束が低下することを回避するものが提案されている（例えば、特許文献１、２参照）。
ここで、特許文献２の照明器具１００は、図１３に示すように、直管形２灯１０１の中央部に点灯装置１０２が配置されている。
【０００６】
このように、低温時のランプ出力を上昇させる照明器具のなかには、周囲温度が高温の場合に出力を抑制してランプ出力を過大に低下させてしまい、蛍光灯ランプの立消えやチラツキを発生させるものがある。
そこで、周囲温度が高温の場合にランプ出力を過大に低下させて蛍光灯ランプの立消えやチラツキを回避するために、高温時の出力も上昇させる照明器具が提案されている（例えば、特許文献３参照）。
ここで、特許文献３の照明器具１１０は、図１４（Ａ），（Ｂ）に示すように、環状放電灯１１１の内径の内側に点灯装置１１２が配置されている。
【先行技術文献】
【特許文献】
【０００７】
【特許文献１】特開平３ー１１６６９５号公報
【特許文献２】特開平５−８９９９２号公報
【特許文献３】特開２００７ー５２６４号公報
【発明の概要】
【発明が解決しようとする課題】
【０００８】
前述したように、特許文献１〜３の照明器具は、温感素子（温度検出手段）を用いて低温時に調光出力を増大させて立消えやチラツキの発生を抑制している。
ここで、特許文献１〜３の温感素子（温度検出手段）は、放電灯点灯装置の温度状態を検知することが目的ではなく、蛍光灯ランプの温度状態を検知して放電灯点灯装置の出力を制御することを目的としている。
しかしながら、特許文献１〜３の照明器具は、蛍光灯ランプの温度状態を良好に検知するように、温感素子（温度検出手段）と蛍光灯ランプの位置関係について十分に検討されていない。
このため、蛍光灯ランプ（放電灯）自体の温度の影響による蛍光灯ランプのチラツキや立消えなどの発生を良好に抑制することは難しいとされていた。
【０００９】
本発明の目的は、上記従来の問題点に鑑みてなされたものであり、深い調光点灯をおこなう場合に、放電灯自体の温度の影響による放電灯のチラツキや立消えなどの発生を良好に抑制できる照明器具を提供することを課題とする。
【課題を解決するための手段】
【００１０】
本発明は、放電灯点灯装置の内部に温度検出手段を設け、前記温度検出手段で放電灯の出力を制御する照明器具であって、前記照明器具の使用状態において、前記放電灯の上部に前記温度検出手段が位置するように前記放電灯点灯装置を配置したことを特徴とする。
【００１１】
ここで、温度検出手段を設けて、負荷である放電灯の温度状態を検知し、それにより放電灯点灯装置の出力を制御するためには、放電灯そのものに温度検出手段を隣接させることが望ましい。
しかしながら、放電灯そのものに温度検出手段を隣接させた場合、放電灯の寿命時に、放電灯交換の方法が煩雑になるとか、照明器具の構造が複雑になる。このため、放電灯点灯装置内のプリント基板に温度検出手段を搭載することが示唆されている。
【００１２】
ところで、放電灯の発する輻射熱は放電灯の上方へ伝わりやすい。よって、照明器具の施工状態において、放電灯の上方向（上部）に温度検出手段（温感素子など）を配置するように、放電灯点灯装置を照明器具内に設けることで温度検出手段と放電灯との温度状態の相関を高めることができる。
【００１３】
すなわち、放電灯点灯装置の出力を上昇させる必要があるときに、あまり上昇しなかったり、あるいは、必要以上に出力を上昇させてしまうなどの不具合を抑制できる。
これにより、放電灯自体の温度の影響で放電灯のチラツキや立消えなどが発生することを適切に抑制できる。
そこで、本発明において、照明器具の使用状態において、放電灯の上部に温度検出手段が位置するように放電灯点灯装置を配置した。
【００１４】
また、本発明は、前記放電灯点灯装置に電解コンデンサが設けられ、前記電解コンデンサが前記放電灯と重ならない部分に配置されたことを特徴とする。
【００１５】
ここで、電解コンデンサの寿命は、使用温度に大きく影響を受け温度が低いほど長寿命化が図れることが知られている。
そこで、本発明において、放電灯点灯装置に電解コンデンサを設け、電解コンデンサを放電灯と重ならない部分に配置した。
【００１６】
さらに、本発明は、前記放電灯は、放電路が管状に形成され、前記管状の放電路が長手方向中央部を中心として２重渦巻状に旋回された蛍光ランプであることを特徴とする。
【００１７】
そして、本発明は、前記放電灯点灯装置は、放電灯の外周部に沿うように配置したことを特徴とする。
【００１８】
また、本発明は、前記照明器具は、天井に取り付けて使用されることを特徴とする。
【発明の効果】
【００１９】
本発明では、照明器具の使用状態において、放電灯の上部に温度検出手段が位置するように放電灯点灯装置を配置した。
よって、放電灯点灯装置の出力を上昇させる必要があるときに、あまり上昇しなかったり、あるいは、必要以上に出力を上昇させてしまうなどの不具合を抑制できる。
これにより、調光点灯をおこなう場合に、放電灯自体の温度の影響による放電灯のチラツキや立消えなどが発生することを良好に抑制できる。
【００２０】
また、本発明では、放電灯点灯装置に電解コンデンサを設け、電解コンデンサを放電灯と重ならない部分に配置した。
これにより、有寿命部品である電解コンデンサをランプの輻射熱を受けにくくできるため放電灯点灯装置の長寿命化を図ることができ、さらに、照明器具の薄型化を図ることができる。
【００２１】
さらに、本発明では、放電灯の放電路を管状に形成し、管状の放電路を長手方向中央部を中心として２重渦巻状に旋回した。
よって、通常ならば、放電灯点灯装置の温度上昇を避けるため、あるいは照明器具の薄型化のために、放電灯と重ならないように（放電灯の上部を避けて）放電灯点灯装置を配置する。
ここで、あえて放電灯の上部に温度検出手段を位置するように放電灯点灯装置を配置することにより、放電灯自体の温度の影響による放電灯のチラツキや立消えなどが発生することを抑制できる。
【００２２】
そして、本発明では、放電灯点灯装置を放電灯の外周部に沿うように配置した。
これにより、放電灯を２重渦巻状に旋回した形状としても、照明器具の薄型化が図れ、さらに、放電灯のチラツキや立消えなどが発生することを抑制できる。
【００２３】
また、本発明では、照明器具を天井に取り付けて使用することで、放電灯は天井の反対側に向けて（すなわち、下向きに）照射することになる。
一方、放電点灯装置を放電灯の上部に配置した状態で、放電点灯装置が放電灯と天井との間に位置する。
これにより、放電灯の照射方向の反対側に放電点灯装置を配置できるので、放電灯で所望位置を効率よく照射することができる。
【図面の簡単な説明】
【００２４】
【図１】（Ａ）は本発明に係る照明器具（第１実施形態）を示す側面図、（Ｂ）はＡ−Ａ線断面図
【図２】第１実施形態の放電点灯装置を示す回路図
【図３】第１実施形態の制御部を示す回路図
【図４】第１実施形態の調光信号生成部を示す回路図
【図５】調光信号生成部のオンデューティ比と調光信号との関係を示すグラフ
【図６】本発明に係る照明器具（第２実施形態）を示す平面図
【図７】（Ａ）は本発明に係る照明器具（第３実施形態）を示す側面図、（Ｂ）はＢ−Ｂ線断面図
【図８】第３実施形態の放電点灯装置を示す回路図
【図９】第３実施形態の調光信号生成部を示す回路図
【図１０】（Ａ）は本発明に係る照明器具（第４実施形態）を示す側面図、（Ｂ）はＣ−Ｃ線断面図
【図１１】（Ａ）は本発明に係る照明器具（第５実施形態）を示す側面図、（Ｂ）はＤ−Ｄ線断面図
【図１２】（Ａ）は本発明に係る照明器具（第６実施形態）を示す側面図、（Ｂ）はＥ−Ｅ線断面図
【図１３】従来の照明器具を示す断面図
【図１４】（Ａ）はもう一つの照明器具を示す斜視図、（Ｂ）は（Ａ）の照明器具を示す断面図
【発明を実施するための形態】
【００２５】
本発明を実施するための最良の形態を添付図に基づいて以下に説明する。
【００２６】
（第１実施形態）
第１実施形態に係る照明器具１０について説明する。
図１（Ａ），（Ｂ）に示すように、照明器具１０は、天井１１に取り付けられた円形の器具本体１２と、器具本体１２に設けられた放電灯点灯装置１３と、放電灯点灯装置１３を覆う反射板１４と、反射板１４に取り付けられた環状の蛍光灯ランプ（放電灯）１５と、反射板１４および蛍光灯ランプ１５を覆う半透明の光透過カバー１６とを備えている。
【００２７】
図２に示すように、放電灯点灯装置１３は、直流電源２１と、その出力側に接続されたハーフブリッジインバータ２２と、そのスイッチング信号Ａ１，Ａ２を制御する制御部２３と、ハーフブリッジインバータ２２の中点に接続されるとともに蛍光灯ランプ１５に接続されたＬＣ共振回路２４と、外部からの調光レベル信号２５に応じて調光信号Ｓ１を生成して制御部２３に入力する調光信号生成部２６と、ハーフブリッジインバータ２２に流れる電流を電圧に変換して制御部２３に入力している固定抵抗器２７とを備えている。
【００２８】
この放電灯点灯装置１３の動作を以下に説明する。
直流電源２１により得た直流電圧はその両端に接続されたハーフブリッジインバータ２２の高周波スイッチング動作により高周波の矩形波電圧に変換されハーフブリッジインバータ２２の中点に出力される。
この矩形波電圧がＬＣ共振回路２４に入力されることにより共振作用による略正弦波の電圧が生じ、蛍光灯ランプ１５の両端に印可され、蛍光灯ランプ１５が点灯する。
【００２９】
このとき、ハーフブリッジインバータ２２に発生する回路電流が固定抵抗器２７で電圧Ｂ１に変換され、制御部２３にフィードバックされている。
制御部２３において、フィードバックされた電圧Ｂ１が、調光信号生成部２６から入力される調光信号Ｓ１に応じた大きさになるようにスイッチング信号を制御する。
これにより、点灯中の蛍光灯ランプ１５の出力電圧が任意の調光レベル信号２５に応じた略一定値に制御される。
【００３０】
図３に示すように、制御部２３は、ハーフブリッジインバータ２２の高周波スイッチング動作の源発振周波数を設定し、スイッチング信号Ａ１，Ａ２を出力する発振部３１（例えば、周知のインバータ駆動用ＩＣ）、固定抵抗器Ｒ８、コンデンサＣ３、オペアンプＯＰ１、ダイオードＤ１、固定抵抗器Ｒ５〜Ｒ７、コンデンサＣ２で構成されている。
オペアンプＯＰ１、ダイオードＤ１、固定抵抗器Ｒ５〜Ｒ７およびコンデンサＣ２は、フィードバック電圧Ｂ１が調光信号生成部２６（図２参照）から入力される調光信号Ｓ１に応じた大きさになるようにスイッチング信号を制御するものである。
【００３１】
発振部３１には源発振周波数設定用の固定抵抗器Ｒ８とコンデンサＣ３が設けられており、固定抵抗器Ｒ８で基準電流値が設定され、この基準電流値に応じてコンデンサＣ３の充放電周期が設定され、この周期が源発振周波数となり、スイッチング信号Ａ１，Ａ２に反映されて出力される。
オペアンプＯＰ１の非反転入力端子には調光信号生成部２６からの調光信号Ｓ１が入力され、反転入力端子にはフィードバック電圧Ｂ１が固定抵抗器Ｒ５を介して入力され、固定抵抗器Ｒ５、Ｒ６およびコンデンサＣ２はフィードバック動作のゲインを設定するために設けられている。
【００３２】
調光信号Ｓ１とフィードバック電圧Ｂ１との差に応じてオペアンプＯＰ１の出力端子電圧値が変化し、この変化によって固定抵抗器Ｒ７およびダイオードＤ１を介して流れる電流量が変化する。よって、発振部３１の基準電流値が変化し、ハーフブリッジインバータ２２の発振周波数が変化することで、調光信号Ｓ１とフィードバック電圧Ｂ１とが略一定となる発振周波数での動作が継続される。
これにより、点灯中の蛍光灯ランプ１５の出力電圧を任意の調光レベル信号２５に応じた略一定値に制御することができる。
【００３３】
図４に示す調光信号生成部２６は、放電灯点灯装置の内部にプリント基板（図示せず）を介して設けられている。
この調光信号生成部２６は、基準電圧Ｖｃｃ、固定抵抗器Ｒ１〜Ｒ４、コンデンサＣ１およびスイッチ素子Ｑ１、温度検出手段としてＮＴＣ型（温度が上昇するにつれて抵抗値が減少するタイプ）のサーミスタＮＴＣ１で構成されている。
【００３４】
調光信号生成部２６は、外部からの調光レベル信号２５に応じてスイッチ素子Ｑ１がオン・オフすることでコンデンサＣ１の充放電電流値を制御し、その結果コンデンサＣ１の両端電圧は調光レベル信号２５に応じた直流電流となり、この電圧値が調光信号Ｓ１となる。
調光レベル信号２５は一定周期のパルス状信号であり、パルスのオン幅を調光のレベルに応じて任意に変化させることによりスイッチ素子Ｑ１のオン・オフ期間が変化し、コンデンサＣ１の充放電電流値が変化することで調光信号Ｓ１の値も変化することができる。
なお、サーミスタＮＴＣ１の動作については後述する。
【００３５】
図５に調光信号生成部２６に入力される調光レベル信号のオンデューティ比（調光レベル信号の１サイクル期間に対するスイッチ素子Ｑ１がオンする期間の比）と調光信号生成部２６が出力する調光信号Ｓ１の関係を表すグラフを示す。
調光レベル信号のオンデューティ比が小さいと調光信号Ｓ１は大きくなり、調光レベル信号２５のオンデューティ比が大きいと調光信号Ｓ１は小さくなる。
このように、調光レベルの範囲（最大点灯出力から最小点灯出力の範囲）オンデューティ比で設定することで、調光レベルに応じた調光信号Ｓ１が得られる。
【００３６】
ここで、調光信号生成部２６にサーミスタＮＴＣ１が備えられている。よって、低温時において、外部からの調光レベル信号２５に応じてスイッチ素子Ｑ１がオン・オフする際に、調光レベルが同じでも、調光信号生成部２６から出力する調光信号Ｓ１は、サーミスタＮＴＣ１で大きな値となる。
換言すれば、調光レベル信号２５が同じでも、放電灯点灯装置１３の出力は温度が低いほど大きくなるように制御される。
【００３７】
照明器具１０は、図１（Ａ），（Ｂ）に示すように、天井１１に取り付けて使用されることで（すなわち、照明器具１０の使用状態において）、放電灯点灯装置１３内のサーミスタＮＴＣ１が蛍光灯ランプ１５の上部に位置するように放電灯点灯装置１３が配置されている。
【００３８】
照明器具１０を天井１１に取り付けて使用することで、蛍光灯ランプ１５は天井１１の反対側に向けて（すなわち、下向きに）照射することになる。
一方、放電灯点灯装置１３を蛍光灯ランプ１５の上部に配置した状態で、放電灯点灯装置１３が蛍光灯ランプ１５と天井１１との間に位置する。
これにより、蛍光灯ランプ１５の照射方向の反対側に放電灯点灯装置１３を配置できるので、蛍光灯ランプ１５で下方の所望位置を効率よく照射することができる。
【００３９】
さらに、照明器具１０の使用状態において、蛍光灯ランプ１５の上部にサーミスタＮＴＣ１が位置するように放電灯点灯装置１３を配置することで、放電灯点灯装置１３の出力を精度よく制御することができる。
具体的には、放電灯点灯装置１３の出力を上昇させる必要があるときに、あまり上昇しなかったり、あるいは、必要以上に出力を上昇させてしまうなどの不具合を抑制できる。
これにより、蛍光灯ランプ１５の調光点灯をおこなう場合に、蛍光灯ランプ１５自体の温度の影響によるサーミスタＮＴＣ１のチラツキや立消えなどが発生することを抑制できる。
【００４０】
つぎに、第２実施形態〜第６実施形態を図６〜図１２に基づいて説明する。なお、第２実施形態〜第６実施形態において第１実施形態と同様の構成部材について同じ符号を付して説明を省略する。
【００４１】
（第２実施形態）
第２実施形態に係る照明器具３０について説明する。
図６に示すように、第２実施形態の照明器具４０は、第１実施形態の照明器具１０に放電灯点灯装置４２および蛍光灯ランプ（放電灯）４３を備えたもので、その他の構成は照明器具１０と同様である。
【００４２】
放電灯点灯装置４２は、第１実施形態の放電灯点灯装置１３と同様に、温度検出手段としてＮＴＣ型（温度が上昇するにつれて抵抗値が減少するタイプ）のサーミスタＮＴＣ２を備えている。
サーミスタＮＴＣ２は、第１実施形態のサーミスタＮＴＣ１と同じ温度検出手段である。
すなわち、放電灯点灯装置４２は、第１実施形態の放電灯点灯装置１３と同様の役割を果たすものである。
【００４３】
蛍光灯ランプ４３は、蛍光灯ランプ１５に対して一回り小さく形成された環状のランプである。この蛍光灯ランプ４３は、第１実施形態の蛍光灯ランプ１５の内側に配置された状態で、反射板１４（図１（Ａ）参照）に取り付けられている。
【００４４】
照明器具４０は、放電灯点灯装置１３内のサーミスタＮＴＣ１が蛍光灯ランプ１５の上部に位置するように放電灯点灯装置１３が配置され、かつ、放電灯点灯装置４２内のサーミスタＮＴＣ２が蛍光灯ランプ４３の上部に位置するように放電灯点灯装置４２が配置されている。
【００４５】
これにより、蛍光灯ランプ１５，４３の照射方向の反対側に放電灯点灯装置１３，４２をそれぞれ配置できるので、蛍光灯ランプ１５，４３で下方の所望位置を効率よく照射することができる。
さらに、照明器具４０の使用状態において、蛍光灯ランプ１５，４３の上部にサーミスタＮＴＣ１，ＮＴＣ２が位置するように放電灯点灯装置１３，４２を配置することで、放電灯点灯装置１３，４２の出力を精度よく制御することができる。
これにより、蛍光灯ランプ１５，４３の調光点灯をおこなう場合に、蛍光灯ランプ１５，４３自体の温度の影響によるサーミスタＮＴＣ１，ＮＴＣ２のチラツキや立消えなどが発生することを抑制できる。
【００４６】
（第３実施形態）
第３実施形態に係る照明器具５０について説明する。
図７（Ａ），（Ｂ）に示すように、第３実施形態の照明器具５０は、第１実施形態の放電灯点灯装置１３に代えて放電灯点灯装置５２を備えたもので、その他の構成は照明器具１０と同様である。
【００４７】
図８に示すように、放電灯点灯装置５２は、第１実施形態の直流電源２１に代えて商用電源５３を備え、交流電圧を直流電圧に変換するＡＣ−ＤＣ変換部５４を備え、調光信号生成部２６に代えて調光信号生成部５５を備えたもので、その他の構成は照明器具１０と同様である。
この放電灯点灯装置５２は、ＡＣ−ＤＣ変換部５４で交流電圧を直流電圧に変換した後の動作については第１実施形態の放電灯点灯装置１３と同様である。
【００４８】
ＡＣ−ＤＣ変換部５４は、昇圧チョッパにて構成されており、チョッパ制御部５６で制御されて動作している。この動作は一般的な周知技術であり、詳細な説明は省略する。
昇圧チョッパにて直流に変換された電圧は、電解コンデンサＣ２にて平滑される。この電解コンデンサＣ２の容量は負荷である蛍光灯ランプ１５によって決まるため、部屋全体を明るくするような照明にあっては、比較的大きなサイズの部品を使用することになる。
【００４９】
図９に示すように、調光信号生成部５５は、第１実施形態と同様に、温度検出手段としてＮＴＣ型のサーミスタＮＴＣ１で構成されている。
外部からの調光レベル信号２５に応じてスイッチ素子Ｑ１がオン・オフさせている。また、固定抵抗器Ｒ５，Ｒ６およびサーミスタＮＴＣ１にて温度に応じて変化するＤＣ電圧とコンデンサＣ１の電圧とをダイオードＤ１，Ｄ２によるオア構成でコンデンサＣ２に出力して、高い電圧の方を調光信号Ｓ１として出力する。
これにより、ある一定以下においては、調光レベル信号２５が同じであっても、放電灯点灯装置５２の出力は温度が低いほど大きくなるように制御される。
【００５０】
図７（Ａ），（Ｂ）に示す照明器具５０は、第１実施形態の照明器具１０と同様に、円形の器具本体１２と、放電灯として環状の蛍光ランプ１５とを備えている。
また、放電灯点灯装置５２内のサーミスタＮＴＣ１が蛍光ランプ１５と重なるように放電灯点灯装置５２を配置している。さらに、コンデンサＣ２を含む大型部分５２ａは蛍光ランプ１５の内径の内部に収まるように配置されている。
【００５１】
これにより、照明器具５０は、第１実施形態の照明器具１０に比べて薄型化を図ることができ、有寿命部品であるコンデンサ（電解コンデンサ）Ｃ２を蛍光ランプ１５の輻射熱を受けにくくできるため放電灯点灯装置５２の長寿命化を図ることができる。
【００５２】
さらに、照明器具５０の使用状態において、蛍光灯ランプ１５の上部にサーミスタＮＴＣ１が位置するように放電灯点灯装置１３が配置されている。
したがって、照明器具５０の薄型化や、放電灯点灯装置５２の長寿命化を図るとともに、放電灯点灯装置１３の出力を精度よく制御することが可能になり、蛍光灯ランプ１５自体の温度の影響によるサーミスタＮＴＣ１のチラツキや立消えなどが発生することを抑制できる。
【００５３】
（第４実施形態）
第４実施形態に係る照明器具６０について説明する。
図１０（Ａ），（Ｂ）に示すように、第４実施形態の照明器具６０は、第１実施形態の蛍光灯ランプ１５に代えて蛍光灯ランプ６２を備えたもので、その他の構成は照明器具１０と同様である。
蛍光灯ランプ６２は、放電路６３が管状に形成され、管状の放電路６３が長手方向中央部を中心として２重渦巻状に旋回された蛍光ランプである。
【００５４】
ここで、第１実施形態に示す環状の蛍光灯ランプ１５の場合、放電灯点灯装置１３を配置する箇所として蛍光灯ランプ１５の内径内部、外形外部や上部が存在する。
一方、第４実施形態の蛍光灯ランプ６２のように放電路６３を２重渦巻状に旋回した場合、蛍光灯ランプ６２の内径内部に空間を確保できないため、蛍光灯ランプ６２の外形外部や上部に放電灯点灯装置１３を配置することが考えられる。
しかし、蛍光灯ランプ６２の外形外部に放電灯点灯装置１３を配置した場合、蛍光灯ランプ６２と温度との乖離が大きくなってしまう。
【００５５】
そこで、蛍光灯ランプ６２の上部に放電灯点灯装置１３のサーミスタＮＴＣ１を配置するようにした。
よって、サーミスタＮＴＣ１を蛍光灯ランプ６２の輻射熱の影響を受けやすい位置に配置でき、蛍光灯ランプ６２の温度によって放電灯点灯装置１３の出力を精度よく制御できる。
これにより、蛍光灯ランプ６２自体の温度の影響による蛍光灯ランプ６２のチラツキや立消えなどが発生することを抑制できる。
【００５６】
（第５実施形態）
第５実施形態に係る照明器具７０について説明する。
図１１（Ａ），（Ｂ）に示すように、第５実施形態の照明器具７０は、第４実施形態の放電灯点灯装置１３に代えて放電灯点灯装置７２を備えたもので、その他の構成は照明器具６０と同様である。
この照明器具７０は、放電灯点灯装置７２内のサーミスタＮＴＣ１が蛍光灯ランプ６２の上部になるように放電灯点灯装置７２を配置している。
さらに、コンデンサＣ２を含む大型部分７２ａは、蛍光灯ランプ６２の外径の外部（すなわち、外周部）６２ａに配置されている。
【００５７】
これにより、照明器具７０は、第４実施形態の照明器具６０に比べて薄型化を図ることができ、有寿命部品であるコンデンサ（電解コンデンサ）Ｃ２を蛍光灯ランプ６２の輻射熱を受けにくくできるため放電灯点灯装置７２の長寿命化を図ることができる。
さらに、図１１（Ａ）に示すように、コンデンサＣ２を含む大型部分７２ａを、蛍光ランプ６２の外周部６２ａに沿って湾曲上に形成することで、照明器具７０の外周をコンパクトに抑えることができる。
【００５８】
さらに、照明器具７０の使用状態において、蛍光灯ランプ６２の上部にサーミスタＮＴＣ１が位置するように放電灯点灯装置７２が配置されている。
したがって、照明器具７０の薄型化、コンパクト化や、放電灯点灯装置７２の長寿命化を図るとともに、放電灯点灯装置７２の出力を精度よく制御することが可能になり、蛍光灯ランプ６２自体の温度の影響によるサーミスタＮＴＣ１のチラツキや立消えなどが発生することを抑制できる。
【００５９】
（第６実施形態）
第６実施形態に係る照明器具８０について説明する。
図１２（Ａ），（Ｂ）に示すように、第６実施形態の照明器具８０は、放電灯点灯装置１３内のサーミスタＮＴＣ１を蛍光ランプ１５のフィラメント部１５ａの上部に、フィラメント部１５ａと重なるように配置したもので、その他の構成は第１実施形態の照明器具１０と同様である。
【００６０】
ここで、蛍光ランプ１５のうち、フィラメント部１５ａの温度上昇が大きい。
よって、フィラメント部１５ａの温度によって放電灯点灯装置１３の出力をより精度よく制御することが可能となり、蛍光灯ランプ１５自体の温度の影響によるサーミスタＮＴＣ１のチラツキや立消えなどが発生することをより精度よく抑制できる。
【００６１】
ここで、蛍光灯ランプ１５の寿命末期にフィラメント部１５ａが異常加熱されるなどの不具合が生じることが考えられる。よって、サーミスタＮＴＣ１をフィラメント部１５ａの近傍に配置することで、フィラメント部１５ａが異常加熱された場合に、フィラメント部１５ａの異常をサーミスタＮＴＣ１で検出して放電灯点灯装置１３の出力を抑制あるいは低減することも可能である。
すなわち、サーミスタＮＴＣ１を周知の異常検出回路として兼用することも可能である。
【００６２】
なお、本発明に係る照明器具は、前述した実施形態に限定されるものではなく適宜変更、改良などが可能である。
例えば、第１実施形態〜第６実施形態で示した天井１１、放電灯点灯装置１３，４２，５２，７２、蛍光灯ランプ１５，４３，６２、外周部６２ａ、放電路６３、ＮＴＣ１、ＮＴＣ２およびコンデンサＣ２などの形状は例示したものに限定するものではなく適宜変更が可能である。
【符号の説明】
【００６３】
１０，４０，５０，６０，７０，８０  照明器具
１１  天井
１３，４２，５２，７２  放電灯点灯装置
１５，４３，６２  蛍光灯ランプ（放電灯）
６２ａ  蛍光灯ランプの外径の外部（外周部）
６３  放電路
ＮＴＣ１，ＮＴＣ２  サーミスタ（温度検出手段）
Ｃ２  コンデンサ（電解コンデンサ）
【図１】
2010161022.tif 000003
【図２】
2010161022.tif 000004
【図３】
2010161022.tif 000005
【図４】
2010161022.tif 000006
【図５】
2010161022.tif 000007
【図６】
2010161022.tif 000008
【図７】
2010161022.tif 000009
【図８】
2010161022.tif 000010
【図９】
2010161022.tif 000011
【図１０】
2010161022.tif 000012
【図１１】
2010161022.tif 000013
【図１２】
2010161022.tif 000014
【図１３】
2010161022.tif 000015
【図１４】
2010161022.tif 000016